(57)【要約】【課題】  出力される画像の色をイメージすることなく、画像出力手段の色再現域内の色に画像の色を修正する。【解決手段】  出力色域比較部５４６は、修正済み画像データの色域と画像出力装置の色再現域とを比較し、修正済み画像データに画像出力装置の色再現域外の色が含まれている場合には、修正済み画像データと画像出力装置のデバイスプロファイルとを出力色域変換部５４８に対して出力し、画像出力装置の色再現域外の色に対応する画素の画像上の位置情報を、画像出力装置の色再現域外の色であることを示す信号と共に表示制御部５８に対して出力する。出力色域変換部５４８は、修正済み画像データの色域が画像出力装置の色再現域内に含まれるように修正済み画像データを変換する。表示制御部５８は、出力色域変換部５４８が変換した修正済み画像データ及び色域変換部５４から受入れた情報に応じた画像を表示部２２を介して表示する。【選択図】          図５
2006148833.tif 000002
【特許請求の範囲】
【請求項１】
入力された画像データに応じて画像を表示する画像表示手段と、この画像表示手段が表示した画像の色を修正する指示を取得する修正指示取得手段と、画像を出力する画像出力手段の色再現域外の色を含むように、前記修正指示取得手段が画像の色を修正する指示を取得した場合に、入力された画像データを前記画像出力手段の色再現域内の画像データに変換する出力色域変換手段と、この出力色域変換手段が変換した画像データを前記画像表示手段に入力するよう制御する制御手段とを有することを特徴とする画像処理システム。
【請求項２】
前記出力色域変換手段によって変換された画像データを、所定の色空間の画像データに変換する色空間変換手段をさらに有することを特徴とする請求項１記載の画像処理システム。
【請求項３】
前記色空間変換手段が変換した画像データを記憶する記憶手段をさらに有することを特徴とする請求項２記載の画像処理システム。
【請求項４】
前記色空間変換手段は、前記出力色域変換手段によって変換された画像データを、デバイスに非依存の色空間の画像データに変換することを特徴とする請求項２又は３記載の画像処理システム。
【請求項５】
前記記憶手段は、前記画像出力手段の特性を示すプロファイルを画像データに付して記憶することを特徴とする請求項４記載の画像処理システム。
【請求項６】
前記色空間変換手段は、前記出力色域変換手段によって変換された画像データを、前記画像出力手段に応じた色空間の画像データに変換することを特徴とする請求項２又は３記載の画像処理システム。
【請求項７】
画像を補正する補正手段をさらに有し、前記出力色域変換手段は、前記補正手段が補正した画像データを前記画像出力手段の色再現域内の画像データに変換することを特徴とする請求項１乃至６いずれか記載の画像処理システム。
【請求項８】
前記画像表示手段に入力された画像データが、前記画像表示手段の色再現域外の色を含む場合に、入力された画像データを前記画像表示手段の色再現域内の画像データに変換する表示色域変換手段をさらに有し、前記制御手段は、前記表示色域変換手段が変換した画像データを前記画像表示手段に入力するよう制御することを特徴とする請求項１乃至７いずれか記載の画像処理システム。
【請求項９】
前記制御手段が前記画像表示手段に入力する画像データに対し、前記画像表示手段によって表示される画素ごとに、前記出力色域変換手段又は前記表示色域変換手段のいずれによって色が変換されたかを報知する報知手段をさらに有することを特徴とする請求項８記載の画像処理システム。
【請求項１０】
入力された画像データに応じて画像を表示し、画像を出力する画像出力手段の色再現域外の色を含むように、表示された画像の色を修正する指示を取得した場合に、入力された画像データを前記画像出力手段の色再現域内の画像データに変換し、変換された画像データに応じて画像を表示するよう制御することを特徴とする画像処理方法。
【発明の詳細な説明】
【技術分野】
【０００１】
本発明は、画像の色を処理する画像処理システム及び画像処理方法に関するものである。
【背景技術】
【０００２】
撮像機器によって撮影された画像に対し、印刷前に明度やコントラストなどを補正することにより、プリンタによって印刷される画像の色を調整する画像処理装置が知られている。この種の画像処理装置において、補正後の画像データに対し、プリンタの色域外となる領域をディスプレイに表示することは公知である（特許文献１参照）。
【０００３】
【特許文献１】特開２００３−２３４９１６号公報
【発明の開示】
【発明が解決しようとする課題】
【０００４】
しかしながら、上記従来例においては、画像の色を画像出力装置の色再現域外に修正した場合、ユーザは、画像出力装置の出力結果をイメージして、画像データを画像出力装置の色再現域内に再び修正しなければならないという問題があった。
【０００５】
そこで、本発明は、出力される画像の色をイメージすることなく、画像出力手段の色再現域内の色に画像の色を修正することができる画像処理システムを提供することを目的とする。
【課題を解決するための手段】
【０００６】
上記目的を達成するため、本発明の第１の特徴とするところは、入力された画像データに応じて画像を表示する画像表示手段と、この画像表示手段が表示した画像の色を修正する指示を取得する修正指示取得手段と、画像を出力する画像出力手段の色再現域外の色を含むように、前記修正指示取得手段が画像の色を修正する指示を取得した場合に、入力された画像データを前記画像出力手段の色再現域内の画像データに変換する出力色域変換手段と、この出力色域変換手段が変換した画像データを前記画像表示手段に入力するよう制御する制御手段とを有する画像処理システムにある。したがって、画像出力手段の色再現域外の色を含むように、修正指示取得手段が画像の色を修正する指示を取得しても、画像出力手段の色再現域内に画像データを変換することができると共に、画像表示手段が画像出力手段の色再現域内の画像を表示することができるので、ユーザは、出力される画像の色をイメージすることなく、画像出力手段の色再現域内の色に画像の色を修正することができる。
【０００７】
好適には、前記出力色域変換手段によって変換された画像データを、所定の色空間の画像データに変換する色空間変換手段をさらに有する。また、好適には、前記色空間変換手段が変換した画像データを記憶する記憶手段をさらに有する。また、好適には、前記色空間変換手段は、前記出力色域変換手段によって変換された画像データを、デバイスに非依存の色空間の画像データに変換する。また、好適には、前記記憶手段は、前記画像出力手段の特性を示すプロファイルを画像データに付して記憶する。また、好適には、前記色空間変換手段は、前記出力色域変換手段によって変換された画像データを、前記画像出力手段に応じた色空間の画像データに変換する。即ち、画像出力手段の色再現域内に変換された画像データを、画像出力手段又は記憶手段などに応じた色空間の画像データに変換することができると共に、画像データの用いた処理を容易にすることができる。
【０００８】
また、好適には、画像を補正する補正手段をさらに有し、前記出力色域変換手段は、前記補正手段が補正した画像データを前記画像出力手段の色再現域内の画像データに変換する。即ち、補正手段が例えば明度補正、階調補正、コントラスト補正及びシャープネス補正などの補正をした画像データを、出力色域変換手段は画像出力手段の色再現域内に変換することができる。
【０００９】
また、好適には、前記画像表示手段に入力された画像データが、前記画像表示手段の色再現域外の色を含む場合に、入力された画像データを前記画像表示手段の色再現域内の画像データに変換する表示色域変換手段をさらに有し、前記制御手段は、前記表示色域変換手段が変換した画像データを前記画像表示手段に入力するよう制御する。したがって、制御手段が画像表示手段に入力する画像データは、画像表示手段及び画像出力手段の色再現域内に含まれるので、画像表示手段が表示する画像の色と、画像出力手段が出力する画像の色とを略一致させることができる。
【００１０】
また、好適には、前記制御手段が前記画像表示手段に入力する画像データに対し、前記画像表示手段によって表示される画素ごとに、前記出力色域変換手段又は前記表示色域変換手段のいずれによって色が変換されたかを報知する報知手段をさらに有する。即ち、報知手段の報知応じて、ユーザは、画像表示手段の色再現域と画像出力手段の色再現域との間にある色を把握することができる。
【００１１】
また、本発明の第２の特徴とするところは、入力された画像データに応じて画像を表示し、画像を出力する画像出力手段の色再現域外の色を含むように、表示された画像の色を修正する指示を取得した場合に、入力された画像データを前記画像出力手段の色再現域内の画像データに変換し、変換された画像データに応じて画像を表示するよう制御する画像処理方法にある。したがって、画像出力手段の色再現域外の色を含むように、表示された画像の色を修正する指示が取得されても、入力された画像データが画像出力手段の色再現域内に変換され、画像出力手段の色再現域内の画像が表示されるので、ユーザは、出力される画像の色をイメージすることなく、画像出力手段の色再現域内の色に画像の色を修正することができる。
【発明の効果】
【００１２】
本発明によれば、出力される画像の色をイメージすることなく、画像出力手段の色再現域内の色に画像の色を修正することができる。
【発明を実施するための最良の形態】
【００１３】
次に本発明の実施形態を図面に基づいて説明する。
図１において、本発明の実施形態に係る画像処理システム１の概要が示されている。画像処理システム１は、例えば制御装置２がネットワーク３を介して画像出力部４に接続されることによって構成される。画像出力部４は、複数の画像出力装置からなり、例えば印刷装置４０−１，４０−２及び表示装置４２を有する。印刷装置４０−１，４０−２及び表示装置４２は、それぞれ色再現域が異なり、制御装置２の制御によってカラー画像を出力する。
【００１４】
図２において、制御装置２の構成が示されている。
制御装置２は、例えばＰＣ（Personal Computer）などであり、入力部２０、表示部２２、記憶部２４、通信部２６及び制御装置本体２８から構成され、画像出力部４を制御する。入力部２０は、キーボード及びマウスなどの入力装置を有し、画像処理システム１に対するユーザの指示を受入れる。表示部２２は、ＣＲＴ表示装置又はＬＣＤ表示装置であり、制御装置２における処理結果、及び画像出力部４から受入れた信号に対する表示を行なう。なお、表示部２２と表示装置４２とは、色再現域が異なる。
【００１５】
記憶部２４は、画像処理システム１を構成する各部を制御するプログラム、複数のデータベース（図３などを用いて後述）、画像処理システム１に対する設定及び制御装置２によって作成されたデータなどを記憶する。通信部２６は、ネットワーク３を介して画像出力部４と制御装置本体２８とを接続する。制御装置本体２８は、ＣＰＵ２８０及びメモリ２８２を有し、制御装置２を構成する各部を制御する。
【００１６】
次に、記憶部２４について詳述する。
図３は、記憶部２４が記憶する内容の概要を示すメモリマップである。
図３に示すように、記憶部２４は、例えばプログラム領域２４２、プロファイルデータベース領域２４４、画像データベース領域２４６及びその他の記憶領域２４８に分けられている。
プログラム領域２４２は、制御装置２が画像出力部４などを制御するために必要なプログラム及び複数の色域圧縮プログラムなどを記憶する。
【００１７】
プロファイルデータベース領域２４４は、表示部２２、印刷装置４０−１，４０−２、表示装置４２及びデジタルカメラ（図示せず）などの画像処理システム１に関連するデバイスそれぞれのデバイスプロファイルを記憶し、プロファイルデータベース５００（図４参照）を形成する。
以下、表示部２２、印刷装置４０−１，４０−２、表示装置４２及びデジタルカメラそれぞれのデバイスプロファイルを、単にプロファイルと略記することがある。
【００１８】
画像データベース領域２４６は、例えばメモリカードなどの記憶媒体２４０（図２）を介して入力される画像データ及び通信部２６などから入力される画像データなどを記憶し、画像データベース５０２（図４参照）を形成する。なお、画像データは、例えばマトリクス状に配列された複数の画素からなり、複数の画素それぞれが画像上の位置情報と色（階調数などの色値）とを有する。その他の記憶領域２４８は、画像処理システム１に対する設定及び制御装置２によって生成されたデータなどを記憶する。
【００１９】
図４において、画像処理プログラム５の構成が示されている。
画像処理プログラム５は、画像データ取得部５０、画像自動補正部５２、色域変換部５４、出力用色空間変換部５６、表示制御部５８、画像出力制御部６０、プロファイルデータベース５００及び画像データベース５０２から構成され、図１に示した制御装置２によって実行される。
【００２０】
プロファイルデータベース５００は、表示部２２、印刷装置４０−１，４０−２、表示装置４２及びデジタルカメラ（図示せず）などの画像処理システム１に関連するデバイスそれぞれのデバイスプロファイルがプロファイルデータベース領域２４４に記憶されることによって形成される。画像データベース５０２は、画像処理プログラム５において変換などの処理をされた画像データからなるデータベースであって、後述する出力用色空間変換部５６によって、例えばＬ＊ａ＊ｂ＊などのデバイスに非依存の色空間の色値を含むように変換された画像データ（後述する表示色域変換済画像データ）が画像データベース領域２４６に記憶されることによって形成される。
【００２１】
画像データ取得部５０は、記憶媒体２４０又は通信部２６などを介して入力される画像データを取得し、画像自動補正部５２に対して出力する。画像自動補正部５２は、画像データ取得部５０から入力された画像データに対し、例えば明度補正、階調補正、コントラスト補正及びシャープネス補正などの補正を行い、色域変換部５４に対して出力する。
【００２２】
図５は、色域変換部５４の構成を示す構成図である。図５に示すように、色域変換部５４は、レタッチコマンド取得部５４０、画像データ修正部５４２、色空間変換部５４４、出力色域比較部５４６、出力色域変換部５４８、表示色域比較部５５０及び表示色域変換部５５２から構成される。レタッチコマンド取得部５４０は、表示部２２に表示された画像に対し、例えば色を修正する修正指示（レタッチコマンド）を入力部２０を介して受入れ、画像データ修正部５４２に対して出力する。
【００２３】
画像データ修正部５４２は、レタッチコマンド取得部５４０からレタッチコマンドが入力されているか否かを判断し、レタッチコマンドが入力されている場合には、レタッチコマンドに応じて、画像自動補正部５２から受入れた画像データを修正し、色空間変換部５４４に対して修正済み画像データを出力する。画像データ修正部５４２は、レタッチコマンドが入力されていないと判断した場合には、画像自動補正部５２から受入れた画像データを、修正することなく修正済み画像データとみなし、色空間変換部５４４に対して出力する。色空間変換部５４４は、修正済み画像データをデバイスに非依存の色空間の画像データに変換するために必要なデバイスプロファイルをプロファイルデータベース５００から取得し、修正済み画像データを例えばＬ＊ａ＊ｂ＊などのデバイスに非依存の色空間の修正済み画像データに変換し、出力色域比較部５４６に対して出力する。
【００２４】
出力色域比較部５４６は、画像出力装置として画像出力部４から例えば印刷装置４０−１を選択する選択信号を、入力部２０を介して受け入れ、選択信号によって選択された印刷装置４０−１のデバイスプロファイルをプロファイルデータベース５００から取得し、修正済み画像データの色域と印刷装置４０−１（選択された画像出力装置）の色再現域とを比較する。出力色域比較部５４６は、修正済み画像データの色域と印刷装置４０−１の色再現域とを比較した結果、修正済み画像データに印刷装置４０−１の色再現域外の色が含まれている場合には、修正済み画像データと印刷装置４０−１のデバイスプロファイルとを出力色域変換部５４８に対して出力し、印刷装置４０−１の色再現域外の色に対応する画素の画像上の位置情報を、印刷装置４０−１の色再現域外の色であることを示す信号と共に表示制御部５８に対して出力する。また、出力色域比較部５４６は、修正済み画像データの色域が印刷装置４０−１の色再現域に含まれている場合には、修正済み画像データを表示色域比較部５５０に対して出力する。
【００２５】
出力色域変換部５４８は、修正済み画像データの色域が印刷装置４０−１の色再現域内に含まれるように修正済み画像データを変換（マッピング）し、出力色域変換済画像データとして表示色域比較部５５０に対し出力する。
【００２６】
表示色域比較部５５０は、表示部２２のデバイスプロファイルをプロファイルデータベース５００から取得し、出力色域変換部５４８から受入れた出力色域変換済画像データの色域、又は、出力色域比較部５４６から受入れた修正済み画像データの色域と、表示部２２の色再現域とを比較する。表示色域比較部５５０は、受入れた出力色域変換済画像データ又は修正済み画像データに表示部２２の色再現域外の色が含まれている場合には、出力色域変換済画像データ又は修正済み画像データと表示部２２のデバイスプロファイルとを表示色域変換部５５２に対して出力し、表示部２２の色再現域外の色に対応する画素の画像上の位置情報を、表示部２２の色再現域外の色であることを示す信号と共に表示制御部５８に対して出力する。また、表示色域比較部５５０は、受入れた出力色域変換済画像データ又は修正済み画像データの色域が表示部２２の色再現域に含まれている場合には、出力色域変換済画像データ又は修正済み画像データを出力用色空間変換部５６に対して出力する。
【００２７】
表示色域変換部５５２は、表示色域比較部５５０から受入れた出力色域変換済画像データ又は修正済み画像データの色域が表示部２２の色再現域内に含まれるように、出力色域変換済画像データ又は修正済み画像データを変換（マッピング）し、表示色域変換済画像データとして出力用色空間変換部５６に対し出力する。
【００２８】
出力用色空間変換部５６（図４）は、入力部２０を介して受入れた指示に応じて、表示色域変換部５５２から受入れた表示色域変換済画像データをＬ＊ａ＊ｂ＊、ＲＧＢ又はＣＭＹＫなどの色値のいずれかを含む表示色域変換済画像データにそれぞれ変換し、画像データベース５０２、表示制御部５８及び画像出力制御部６０に対して出力する。
【００２９】
表示制御部５８は、出力用色空間変換部５６からＲＧＢの色値を含む表示色域変換済画像データを受入れ、表示部２２を介して表示色域変換済画像データに応じた画像を表示する。また、表示制御部５８は、例えば印刷装置４０−１又は表示部２２の色再現域外の色に対応する画素の画像上の位置情報を色域変換部５４から受入れた場合には、画像データ取得部５０が取得した画像データ、又は、レタッチコマンド取得部５４０が取得したレタッチコマンドに応じて修正された修正済み画像データが、印刷装置４０−１又は表示部２２いずれの色再現域外の色であったためにマッピングが行われたかを、表示部２２を介して表示する。例えば表示制御部５８は、表示色域変換済画像データに応じて表示部２２に表示させた画像に対し、印刷装置４０−１又は表示部２２の色再現域外の色に対応していた画素（又は複数の画素が配置された領域）を例えば数回点滅させると共に、印刷装置４０−１又は表示部２２いずれの色再現域外の色であったかを示す記号などを点滅させた画素（又は複数の画素が配置された領域）近傍に表示する。
【００３０】
このように、表示制御部５８は、表示色域変換済画像データに応じて表示部２２に表示させた画像に対し、色域変換部５４によってマッピングされる以前に印刷装置４０−１及び表示部２２の少なくともいずれかの色再現域外の色に対応していた画素それぞれに上述した処理を行うことにより、処理された画素が印刷装置４０−１又は表示部２２いずれの色再現域外の色であったかを、ユーザに対して表示部２２を介し報知する。
【００３１】
なお、印刷装置４０−１及び表示部２２それぞれの解像度が互いに異なる場合には、印刷装置４０−１の色再現域を重視して、印刷装置４０−１及び表示部２２によって再現される画像の色が互いに略同じになるように、表示部２２によって表示される画素の色を補正してもよい。
また、画像データ取得部５０が取得した画像データ、又は、レタッチコマンド取得部５４０が取得したレタッチコマンドに応じて修正された修正済み画像データにおいて、印刷装置４０−１によって色再現可能であり、且つ、表示部２２では色再現できない色に対し、制御装置２は、表示部２２の色再現域内の色にマッピングするか否かの指示を、入力部２０を介して受入れるようにしてもよい。
【００３２】
画像出力制御部６０は、出力用色空間変換部５６からＣＭＹ（ＣＭＹＫ）又はＲＧＢの色値を含む表示色域変換済画像データを受入れ、入力部２０を介して選択された印刷装置４０−１，４０−２及び表示装置４２を介して表示色域変換済画像データに応じた画像を出力する。つまり、画像出力部４を介して出力される画像の色域と、表示部２２が表示する画像の色域とは、略同じになるようにされている。
【００３３】
次に、制御装置２が画像処理プログラム５を実行することにより、画像を出力する処理について説明する。
図６は、制御装置２が画像処理プログラム５を実行することにより、画像を出力する処理（Ｓ１０）を示すフローチャートである。
図７は、図６に示したＳ１０の処理において、制御装置２が画像の色域を変換する色域変換処理（Ｓ２０）を示すフローチャートである。
図６に示すように、ステップ１００（Ｓ１００）において、画像データ取得部５０は、例えば記憶媒体２４０又は通信部２６などを介して入力される画像データを取得し、画像自動補正部５２に対して出力する。
【００３４】
ステップ１０２（Ｓ１０２）において、画像自動補正部５２は、画像データ取得部５０から入力された画像データに対し、例えば明度補正、階調補正、コントラスト補正及びシャープネス補正などの補正を行い、色域変換部５４に対して出力する。
【００３５】
ステップ２００（Ｓ２００：図７）において、画像データ修正部５４２は、レタッチコマンド取得部５４０からレタッチコマンドが入力されているか否かを判断し、レタッチコマンドが入力されている場合にはＳ２０２の処理に進み、レタッチコマンドが入力されていない場合には画像データを修正済み画像データとみなしてＳ２０４の処理に進む。
【００３６】
ステップ２０２（Ｓ２０２）において、画像データ修正部５４２は、レタッチコマンドに応じて、画像自動補正部５２から受入れた画像データを修正し、色空間変換部５４４に対して修正済み画像データを出力する。
【００３７】
ステップ２０４（Ｓ２０４）において、制御装置２は、プロファイルデータベース５００から画像処理システム１を構成する各部のデバイスプロファイルを取得し、例えばメモリ２８２に記憶する。
【００３８】
ステップ２０６（Ｓ２０６）において、色空間変換部５４４は、修正済み画像データを例えばＬ＊ａ＊ｂ＊などのデバイスに非依存の色空間の修正済み画像データに変換し、出力色域比較部５４６に対して出力する。
【００３９】
ステップ２０８（Ｓ２０８）において、出力色域比較部５４６は、修正済み画像データの色域と選択された画像出力装置の色再現域とを比較し、修正済み画像データに画像出力装置の色再現域外の色が含まれている場合にはＳ２１０の処理に進み、修正済み画像データの色域が画像出力装置の色再現域に含まれている場合にはＳ２１４の処理に進む。
【００４０】
ステップ２１０（Ｓ２１０）において、出力色域比較部５４６は、画像出力装置の色再現域外の色に対応する画素の画像上の位置情報を、画像出力装置の色再現域外の色であることを示す信号と共に表示制御部５８に対して出力する。
【００４１】
ステップ２１２（Ｓ２１２）において、出力色域変換部５４８は、修正済み画像データの色域が画像出力装置の色再現域内に含まれるように修正済み画像データを変換（マッピング）し、出力色域変換済画像データとして表示色域比較部５５０に対し出力する。
【００４２】
ステップ２１４（Ｓ２１４）において、表示色域比較部５５０は、出力色域変換済画像データの色域又は修正済み画像データの色域と、表示部２２の色再現域とを比較し、出力色域変換済画像データ又は修正済み画像データに表示部２２の色再現域外の色が含まれている場合にはＳ２１６の処理に進み、出力色域変換済画像データ又は修正済み画像データの色域が表示部２２の色再現域に含まれている場合にはＳ１０４（図６）の処理に進む。
【００４３】
ステップ２１６（Ｓ２１６）において、表示色域比較部５５０は、表示部２２の色再現域外の色に対応する画素の画像上の位置情報を、表示部２２の色再現域外の色であることを示す信号と共に表示制御部５８に対して出力する。
【００４４】
ステップ２１８（Ｓ２１８）において、表示色域変換部５５２は、出力色域変換済画像データ又は修正済み画像データの色域が表示部２２の色再現域内に含まれるように、出力色域変換済画像データ又は修正済み画像データを変換（マッピング）し、表示色域変換済画像データとして出力用色空間変換部５６に対し出力する。
【００４５】
ステップ１０４（Ｓ１０４：図６）において、出力用色空間変換部５６は、入力部２０を介して受入れた指示に応じて、例えば表示色域変換済画像データをＬ＊ａ＊ｂ＊、ＲＧＢ又はＣＭＹＫなどの色値のいずれかを含む表示色域変換済画像データにそれぞれ変換し、画像データベース５０２、表示制御部５８及び画像出力制御部６０に対して出力する。
【００４６】
ステップ１０６（Ｓ１０６）において、表示制御部５８は、画像出力装置及び表示部２２の色再現域外の色に対応する画素の画像上の位置情報等に応じて、表示部２２を介し表示色域変換済画像データに対応する画像を表示する。
【００４７】
ステップ１０８（Ｓ１０８）において、画像出力制御部６０は、出力用色空間変換部５６からＣＭＹ（ＣＭＹＫ）又はＲＧＢの色値を含む表示色域変換済画像データを受入れ、選択された画像出力装置を介して表示色域変換済画像データに応じた画像を出力する。
【００４８】
次に、制御装置２が画像処理プログラム５を実行した実施例について説明する。
図８は、表示部２２に表示され、画像処理プログラム５が実行されることにより、背景領域の色を修正される画像２２０を示す画像例である。例えば、画像２２０は、色域ｒ内の色を含み、模型商品を表示する商品画像領域２２２、及び、色域ｓ内の色の背景を表示する背景領域２２４を有する。
図９は、図８に示した画像２２０に対し、画像処理プログラム５が実行されることによって変換された背景領域の色域例を示すｘｙ色度図である。なお、図９は、表示部２２の色再現域、印刷装置４０−１の色再現域、及び画像処理プログラム５が実行されることによって変換される背景領域２２４の色域例を２次元座標上で示すために、Ｌ＊ａ＊ｂ＊表色系が２次元座標のｘｙ色度図に変換されており、色の分布の歪が模式化されている。
【００４９】
図９に示すように、画像２２０の色域ｒは、表示部２２及び印刷装置４０−１の色再現域内に含まれている。画像処理プログラム５が実行されることにより、印刷装置４０−１の色再現域外の色を含み、且つ、表示部２２の色再現域外の色を含まない色域ｓ’に、背景領域２２４の色域ｓを修正する修正指示（レタッチコマンド）が入力部２０を介して入力されると、色域変換部５４は、色域ｓ’及び印刷装置４０−１の色再現域いずれにも含まれる色域ｓ”に、背景領域２２４の色域ｓを変換する。例えば、背景領域２２４の下側領域（図８において背景領域２２４の下側半分）の色を印刷装置４０−１の色再現域外の色に修正するレタッチコマンドが入力された場合には、出力色域変換部５４８は、背景領域２２４の下側領域の色を印刷装置４０−１の色再現域外郭の色にクリップする（飽和させる）。出力色域変換部５４８は、色域ｓ’全体を色域ｓ”に圧縮してもよい。つまり、背景領域２２４には、印刷装置４０−１によって色再現可能な色域ｓ”内の色が表示される。
【００５０】
また、表示制御部５８は、背景領域２２４の下側領域を数回点滅させると共に、レタッチコマンドが印刷装置４０−１の色再現域外の色に修正するものであったことを示す記号（Ｐ）を背景領域２２４の下側領域に表示する。このように、表示制御部５８は、ユーザが入力したレタッチコマンドが印刷装置４０−１の色再現域外の色への修正を含むものであったことなどを表示によって報知する。ユーザに対する報知は、音などのその他の方法によって行われてもよい。
【図面の簡単な説明】
【００５１】
【図１】本発明の実施形態に係る画像処理システムの概要を示す構成図である。
【図２】制御装置の構成を示す構成図である。
【図３】記憶部が記憶する内容の概要を示すメモリマップである。
【図４】画像処理プログラムの構成を示すプログラム構成図である。
【図５】画像処理プログラムにおける色域変換部の構成を示す構成図である。
【図６】制御装置が画像処理プログラムを実行することにより、画像を出力する処理（Ｓ１０）を示すフローチャートである。
【図７】図６に示したＳ１０の処理において、制御装置が画像の色域を変換する色域変換処理（Ｓ２０）を示すフローチャートである。
【図８】表示部に表示され、画像処理プログラムが実行されることにより、背景領域の色を修正される画像を示す画像例である。
【図９】図８に示した画像に対し、画像処理プログラムが実行されることによって変換された背景領域の色域例を示すｘｙ色度図である。
【符号の説明】
【００５２】
１・・・画像処理システム
２・・・制御装置
２０・・・入力部
２２０・・・画像
２２２・・・商品画像領域
２２４・・・背景領域
２２・・・表示部
２４・・・記憶部
２４０・・・記憶媒体
２４２・・・プログラム領域
２４４・・・プロファイルデータベース領域
２４６・・・画像データベース領域
２４８・・・その他の記憶領域
２６・・・通信部
２８・・・制御装置本体
２８０・・・ＣＰＵ
２８２・・・メモリ
３・・・ネットワーク
４・・・画像出力部
４０−１，４０−２・・・印刷装置
４２・・・表示装置
５・・・画像処理プログラム
５０・・・画像データ取得部
５００・・・プロファイルデータベース
５０２・・・画像データベース
５２・・・画像自動補正部
５４・・・色域変換部
５４０・・・レタッチコマンド取得部
５４２・・・画像データ修正部
５４４・・・色空間変換部
５４６・・・出力色域比較部
５４８・・・出力色域変換部
５５０・・・表示色域比較部
５５２・・・表示色域変換部
５６・・・出力用色空間変換部
５８・・・表示制御部
６０・・・画像出力制御部
【図１】
2006148833.tif 000003
【図２】
2006148833.tif 000004
【図３】
2006148833.tif 000005
【図４】
2006148833.tif 000006
【図５】
2006148833.tif 000007
【図６】
2006148833.tif 000008
【図７】
2006148833.tif 000009
【図８】
2006148833.tif 000010
【図９】
2006148833.tif 000011